(57)【要約】【課題】一定時間経過ごとに報知機構を作動させコインの投入を催促し貯金を促進させるとともに、その報知機構の作動を変化させ強制的にコインを投入させるとともにゲーム性を備えた貯金箱を提供すること。【解決手段】一定時間経過ごとにコインａの投入を催促する貯金箱であって、貯金箱本体１にはコインａの投入を催促する報知機構Ｃ、コインａの投入を検出する検出部５１、一定時間経過ごとに上記報知機構Ｃの作動を制御する制御部５０を設け、該制御部５０は上記検出部５１の検出結果からコインａの投入の有無を判断し、コインａの投入が所定時間ないと判断したときは上記報知機構Ｃの報知を強化するようにした。【選択図】図１
2009000341.tif 000002
【特許請求の範囲】
【請求項１】
一定時間経過ごとにコインの投入を催促する貯金箱であって、貯金箱本体にはコインの投入を催促する報知機構、コインの投入を検出する検出部、一定時間経過ごとに上記報知機構の作動を制御する制御部を設けたことを特徴とする貯金箱。
【請求項２】
前記制御部は、コインの投入の有無を上記検出部の検出結果から判断し、コインの投入が所定時間ないと判断したときは上記報知機構の報知を強化する、請求項１記載の貯金箱。
【請求項３】
前記報知機構は、音で催促する音声部、光で催促する発光部、貯金箱本体の振動で催促する振動発生部で構成され、前記制御部は音声部、発光部、振動発生部の何れか１つ、若しくは組合せて催促を行なう、請求項１又は２記載の貯金箱。
【請求項４】
前記貯金箱本体は、少なくとも一部が開放し内部に貯留したコインを放出する爆発機構を備え、前記制御部はコインの投入時に上記爆発機構を起動するか否かを所定の確率で判断する、請求項１、２又は３記載の貯金箱。
【請求項５】
前記制御部は、コインの投入の有無を前記検出部の検出結果から判断し、コインの投入が所定時間ないと判断したときは前記爆発機構を作動させる確率を高くする、請求項４記載の貯金箱。
【発明の詳細な説明】
【技術分野】
【０００１】
本発明は、貯金箱、詳しくは一定時間ごとにコインの投入を催促し、所定時間コインの投入がなければ催促が激しくなるとともにコインの投入時には所定の確率で爆発する貯金箱に関するものである。
【背景技術】
【０００２】
従来、所定時間が来たことをユーザーに知らせ、その報知がコインを投入することにより止めることができる目覚まし時計機能を備えた貯金箱が提案されている（例えば、特許文献１）。この貯金箱はアラーム時刻にアラーム音が出力されると、コインを投入するまで、アラーム音が出力され続けるようにしたもので、コインを投入させるという行為によって、無意識に目覚ましを解除することを防いで確実に起床させることができるとともにコインを確実に貯蓄することができるようにしたものである。
【特許文献１】実用新案登録第３１２８１９９号公報
【発明の開示】
【発明が解決しようとする課題】
【０００３】
本発明が解決しようとする問題点は、アラーム時刻にコインを投入するという無意識でない行為を行なうことにより、確実に起床することができるとともにその行為により確実にコインを貯める利点があるが、一般的にアラームは予め設定した定時に鳴るものでアラームは起床を促すもので貯金を催促するものではなかった。
【０００４】
本発明は、上記問題点を解決し、一定時間経過ごとに報知機構を作動させコインの投入を催促し貯金を促進させるとともに、所定時間コインの投入がなければその報知機構の作動を強化し強制的にコインを投入させるとともにゲーム性を備えた貯金箱を提供することを課題とする。
【課題を解決するための手段】
【０００５】
前記課題を解決するために本発明に係る貯金箱は、一定時間経過ごとにコインの投入を催促する貯金箱であって、貯金箱本体にはコインの投入を催促する報知機構、コインの投入を検出する検出部、一定時間経過ごとに上記報知機構の作動を制御する制御部を設けたことを特徴とする。
【０００６】
なお、前記制御部は、コインの投入の有無を上記検出部の検出結果から判断し、コインの投入が所定時間ないと判断したときは上記報知機構の報知を強化することが好ましい。
【０００７】
そして、前記報知機構は、音で催促する音声部、光で催促する発光部、貯金箱本体の振動で催促する振動発生部で構成され、前記制御部は音声部、発光部、振動発生部の何れか１つ、若しくは組合せて催促を行なうことが好ましい。
【０００８】
また、前記貯金箱本体は、少なくとも一部が開放し内部に貯留したコインを放出する爆発機構を備え、前記制御部はコインの投入時に上記爆発機構を起動するか否かを所定の確率で判断するようにしてもよい。
【０００９】
さらに、前記制御部は、コインの投入の有無を前記検出部の検出結果から判断し、コインの投入が所定時間ないと判断したときは前記爆発機構を作動させる確率を高くするようにしてもよい。
【発明の効果】
【００１０】
請求項１の発明によれば、一定時間経過するたびに報知機構が作動してコインの投入を催促するので、ユーザーに確実に貯金をさせることができる貯金箱を提供することができる。
【００１１】
請求項２の発明によれば、コインの投入が所定時間なければ報知機構の報知が強化されて催促が激しくなるので、その催促を無視することができずユーザーに強制的に貯金をさせることができる貯金箱を実現することができる。
【００１２】
請求項３の発明によれば、一定時間ごとに作動する報知機構を、光、音、振動の組合せで作動させるので、報知が画一的にならない貯金箱を提供することができる。
【００１３】
請求項４の発明によれば、制御部はコインが投入されたとき、爆発機構を作動させるか否かを所定の確率で判断し、爆発させると判断したときには爆発機構を作動させ内部に貯留したコインを全て放出させるので、従来の単にコインを貯めるだけの貯金箱では考えられない発想のゲーム性を備えた意外性のある貯金箱を実現することができる。
【００１４】
請求項５の発明によれば、コインの投入が所定時間なければコインを投入したときの爆発機構の作動の確率が高くなっていくので、放出されたコインの処理が煩雑になりユーザーはその煩雑さを考えるとコインの投入を確実にするようになり、貯金の促進をさらに高めることができる。
【発明を実施するための最良の形態】
【００１５】
図１は、本発明に係る貯金箱を示し、この貯金箱は貯金箱本体１が爆弾を模して球体状に形成され、貯金箱本体１の上面には導火線を模して形成された報知機構Ｃを構成する表示部２が上方に棒状に突出して設けてあり、表示部２の前方にはコインａを投入する投入口３が設けられている。そして、貯金箱本体１の前面には蓋体４が配置され、この蓋体４は前方に開くように構成されている。この貯金箱は振動によって移動し机などの上から落下しにくいように中央に貯金箱本体１の底部５よりやや大きい径の凹部６が形成された支持台７上に載置されている。
【００１６】
上記貯金箱本体１の内部には貯金箱本体１を振動させる振動機構Ａと、上記蓋体４のロックを解除する解除機構Ｂが配置されている。
【００１７】
上記振動機構Ａと、解除機構Ｂとは後述する１つのモータを正逆回転させることにより選択的に作動させることができるようになっている。
【００１８】
振動機構Ａは、図２に示すように、軸穴１０が図示しないフレームに形成された支軸に揺動可能に支持され、下方に軸足１１ａ、１１ｂが突出形成されたシーソー部材１１と、軸穴１０の側方に形成された横長の四角い係合穴１２に偏心カム１３が挿通された駆動歯車１４と、この駆動歯車１４に噛合する伝達歯車１５とで構成されている。
【００１９】
上記振動機構Ａを駆動するモータ１６の回転軸の先端に固定されたピニオンギヤ１７には遊星歯車１８が噛み合っている。この遊星ギヤ１８はピニオンギヤ１７の先端に軸支された円板１９に支持され、モータ１６（ピニオンギヤ１７）が図面上で時計方向に回転（以下、正回転という）すると遊星ギヤ１８は時計方向に移動し、中間歯車１５に噛合しこれを回転させることにより振動機構Ａを駆動するようになっており、反時計方向に回転（以下、逆回転という）すると遊星ギヤ１８は反時計方向に移動し、後述する解除機構Ｂの伝達歯車２８に噛合し、これを回転させることにより解除機構Ｂを駆動するようになっている。
【００２０】
モータが正回転し、遊星ギヤが伝達歯車１５に噛み合って伝達歯車１５を介して駆動歯車１４を回転させると、偏心カム１３がシーソー部材１１は軸穴１０を中心に上下に揺動させるようになっている。
【００２１】
駆動歯車１４が回転し、偏心カム１３の最大径が上に位置するとシーソー部材１１は右に回動させられ軸足１１ａが底部５から突出するので貯金箱本体１は左に傾動させられ（図３（ａ）参照）、偏心カム１３の最大径が下に位置するとシーソー部材１１は左に回動させられ軸足１１ｂが底部５から突出するので貯金箱本体１は右に傾動させられるので（図３（ｂ）参照）、駆動歯車１４が回転するとシーソー部材１１の軸足１１ａ、１１ｂが貯金箱本体１の底部５から交互に突出し、貯金箱本体１は激しく振動することになる。
【００２２】
解除機構Ｂは、軸体２０から斜め下方前後にそれぞれ解除軸２１と係合軸２２とが突出して側面視への字状に形成された解除部材２３と、この解除部材２３の係合軸２２の下端に係合しこれを上方に押し上げて解除軸２１を下方に回動させる爪２５が軸２６から突出形成されたカム歯車２７と、伝達歯車２８と、蓋体４を係止する係止部材３０、３１とで構成され、上記カム歯車２７にはモータ１６が逆回転すると遊星歯車１８が噛み合うようになっている。
【００２３】
係止部材３０、３１は下部に軸孔３２が形成され、図示しないフレームに形成された支軸４０に上部が開閉できるように軸支され、スプリング４１に付勢されて対向面が密着するようになっており、上部には蓋体４の下部に形成された凸部４ａに係合する係合凹部３４が形成それぞれ形成されている。そして、係止部材３０、３１の対向面には解除軸２１の先端２１ａが係合する開口部３３がそれぞれ形成され、この開口部３３の底部３３ａは対向面に向かって下り傾斜に形成されている（図４（ａ）（ｂ）参照）。
【００２４】
そして、カム歯車２７が回転すると爪２５が係合軸２２に係合し、これを上方に押し上げると軸体２０の回動とともに解除軸２１が回動し、解除軸２１の先端２１ａが下がって蓋体４を係止している係止部材３０、３１を左右に押し広げて、係止部材３０、３１による蓋体４の係止を解除し、解除された蓋体４はバネ４２に付勢されて前方に開くようになっている（図５（ａ）（ｂ）参照）。
【００２５】
なお、上記カム歯車２７には同軸上に円板４３が固定され、この円板４３に形成された軸４４に掛けられたスプリング４５で、モータ１６が正回転して遊星歯車１８と伝達歯車２８との噛み合いが外れたときは駆動歯車２７はフリーになるので爪２５が解除部材２３の係合軸２２に係合した状態で止まらないように強制的に爪２５が係合軸２２から外れるように付勢している。
【００２６】
図６は貯金箱の電気的構成を説明するブロック図で、制御部５０であるタイマ内蔵のプログラマブル音声合成ＩＣにはインプットとしてコインが投入されたことを検出する検出部（コインセンサ）５１、遊びのタイマを設定する日数設定スイッチ５２、蓋の状態を検出するリリーススイッチ５３からの信号が入力され、アウトプットとして報知機構Ｃを構成する効果音や音声を出力するスピーカ５５、コイン投入を催促するために発光してアクリル樹脂などで形成された導光部材で形成された表示部２を下方から照射するＬＥＤ５６、上述の振動機構Ａ及び解除機構Ｂを駆動するモータ１５とがそれぞれドライブ回路を介して接続され、制御部（プログラマブル音声合成ＩＣ）５０に内蔵したメモリに記憶されている制御プログラムに基づいて、時間を計測し、一定時間（本発明では、１時間に設定）毎にコイン投入を促すための報知機構Ｃを構成するＬＥＤ５６、スピーカ５５と、振動機構Ａを駆動するモータ１５の動作を制御するとともに、コインの投入の有無をコインセンサ５１で検出し、コインの投入の有無でゲームをどのように進行させるかを制御するようになっている。
【００２７】
次に、上記貯金箱の作動態様を図７、８のフローチャート図に基づいて説明する。
【００２８】
電池をセットし、電源スイッチ５４をＯＮすると貯金箱の作動が開始する。この時ゲームのレベルはレベル１になっている。制御部５０はスタートからの経過時間を監視し（ステップＳＴ１）、１時間経過したときにはレベルに応じた状態（例えば、レベル１であればＬＥＤの明滅、レベル２であればＬＥＤの明滅と音声の出力）を表示しコインの投入を催促し（図９の設定表図参照）、ステップＳＴ３に進んでレベルの確認と、レベルの推移を判断する。
【００２９】
このレベルの確認は、コインを投入せず所定時間（例えば、２４時間）経過したか否かを判断し（ステップＳＴ１０１）、所定時間経過していなければメインルーチンのステップＳＴ４に戻り、所定時間経過していればステップＳＴ１０２に進んで現在のレベルがレベル４であるか否かを判断し、レベル４でなければ現在のレベルを１ランクアップして（ステップＳＴ１０３）、メインルーチンのステップＳＴ４に戻り、既にレベル４であればレベルのアップは行なうことなくメインルーチンのステップＳＴ４に戻る。
【００３０】
ステップＳＴ４ではコインの投入があったか否かを判断し、なければステップＳＴ１に戻り次の１時間経過を待つ。
【００３１】
コインの投入があれば、ステップＳＴ５に進んで効果音（コインの投入音）を出力した後、ステップＳＴ６に進んで爆発を予兆させるアクションを行なう。この爆発予兆アクションはモータの正回転を行い、振動機構Ａを作動させて貯金箱全体を激しく振動させるとともに、爆発を予兆させるメロディに合わせてＬＥＤを明滅させる。
【００３２】
さらに、ステップＳＴ７で貯金箱を爆発させるか否かを決定する。この爆発の確率はレベルに応じて異なる（図９の設定表図参照）。
【００３３】
運良く、爆発しない場合はステップＳＴ８に進んで、セーフアクションを行なう。このセーフアクションは、「爆発セーフ」をイメージした音声や効果音を出力するとともに、ＬＥＤを点灯させてユーザーにセーフを知らせる。その後、ステップＳＴ９に進んでレベルをレベル１にリセットし、ステップＳＴ１に戻って、時間の経過を待つ。
【００３４】
一方、運悪く爆発した場合には、ステップＳＴ１０に進んで、爆発アクションを行なう。この爆発アクションは、モータ１５を所定時間（例えば、３秒間）正回転させて振動機構Ａを作動させ、貯金箱本体１を激しく振動させるとともに、ＬＥＤ５６を明滅させた後、「爆発音」をスピーカ５５から出力するとともに、モータ１５の回転を逆回転に変えて解除機構Ｂを作動させて蓋体４を開いた後、再びＬＥＤ５６を明滅させるとともにモータ１５の回転を正回転に変えて振動機構Ａを作動させ、貯金箱全体を激しく振動させて貯めていたコインを全て放出する（図１０参照）。
【００３５】
爆発アクションの後、リリーススイッチ５３のＯＮ／ＯＦＦで開いた蓋体４が閉じられたか否かを判断する（ステップＳＴ１１）。リリーススイッチ５３がＯＮすると蓋体４が閉じられたと判断して爆発アクションを停止し、ステップＳＴ９に進んでレベルをレベル１にリセットし、ステップＳＴ１に戻って、再び時間の経過を待つ。
【００３６】
上述したように、１時間毎にコインの投入をレベルに応じたアクションで催促し、コインの投入があれば初期のレベルに戻るが、コインを投入せずに長時間放置するとレベルが上がってアクションが激しくなり、しかもコインを投入した時に爆発する確率がレベルの高さに比例して高くなるので、コインの投入を意識的に行なわなければならずコインの貯金を確実に行なうことができる。
【００３７】
しかも、コインの投入はいつでもできるので、外出する際や就寝する際は事前にコインを投入すればレベルがレベル１にリセットされるので、音や振動に悩まされることもないし、爆発して折角貯めたコインがばら撒かれるようなことが回避でき、ゲーム性に富んだ貯金箱を実現することができる。
【００３８】
なお、装置本体には図示しない発煙機構や匂い発生機構を設け、爆発時には振動機構による装置本体の振動に加え煙や匂いを出すようにしてもよい。また、匂い発生機構は一定時間経過するたびに貯金を促す優しい匂いを放出するようにしてもよい。
【図面の簡単な説明】
【００３９】
【図１】（ａ）（ｂ）は本発明に係る貯金箱の斜視図
【図２】振動機構及び解除機構の構成を説明する分解斜視図
【図３】（ａ）（ｂ）は上記振動機構により貯金箱本体が振動する状態の説明図
【図４】（ａ）（ｂ）は解除機構が蓋体の係止を解除する状態を説明する要部正面図
【図５】（ａ）（ｂ）は解除機構が蓋体の係止を解除する状態を説明する要部側面図
【図６】貯金箱の電気的構成を説明するブロック図
【図７】貯金箱の動作態様を説明するフローチャート図
【図８】貯金箱の動作態様を説明するフローチャート図
【図９】レベルに応じたコインの投入催促アクション及び爆発の確率を設定した設定表図
【図１０】爆発した状態の貯金箱を説明する斜視図
【符号の説明】
【００４０】
１    貯金箱本体
２    表示部
３    コイン投入口
４    蓋体
５１    検出部（コインセンサ）
Ａ    振動機構
ａ    コイン
Ｂ    解除機構
Ｃ    報知機構
【図１】
2009000341.tif 000003
【図２】
2009000341.tif 000004
【図３】
2009000341.tif 000005
【図４】
2009000341.tif 000006
【図５】
2009000341.tif 000007
【図６】
2009000341.tif 000008
【図７】
2009000341.tif 000009
【図８】
2009000341.tif 000010
【図９】
2009000341.tif 000011
【図１０】
2009000341.tif 000012